(57)【特許請求の範囲】
【請求項１】
透液性トップシートと、不透液性シートと、これらの間に介在された主吸収体と、前記透液性トップシート上に設けられた補助吸収部とを備え、
前記補助吸収部は、前記透液性トップシート上の幅方向中央部に固定された基部と、基部の両側縁からそれぞれ延出するウイング部とを備え、
使用に際して、前記補助吸収部のウイング部を、それぞれ側端部を巻き始めとして表面が内側となるように巻くことにより、基部よりも厚いロール状部分が前記透液性トップシート上に形成可能とされ、かつ少なくとも前記ロール状部分がその外部露出面から尿を吸収可能なように構成されている、
ことを特徴とする吸収性物品。
【請求項２】
各前記ウイング部は、幅方向に折り畳まれている、請求項１記載の吸収性物品。
【請求項３】
各前記ウイング部は、前記折り畳まれて対向する部分同士が分離可能に連結されている、請求項２記載の吸収性物品。
【請求項４】
各前記ウイング部における前後少なくとも一方の縁部において、前記折り畳まれて対向する部分同士が幅方向に沿う横ミシン目を介して分離可能に連結されている、請求項３記載の吸収性物品。
【請求項５】
各前記ウイング部は、幅方向に折り畳まれて、先端部が幅方向中央側に向いており、
一方の前記ウイング部の先端部と、他方の前記ウイング部の先端部とは、前後方向に沿う縦ミシン目を介して連続している、請求項１〜４のいずれか１項に記載の吸収性物品。
【請求項６】
一方の前記ウイング部は一体的な層が幅方向に折り返されて形成されており、他方の前記ウイング部は複数の層が積層されるとともに隣接層が折り部位で連結されて形成されている、請求項５記載の吸収性物品。
【請求項７】
前記基部と前記ウイング部との各境界部分に、表側から裏側に窪む溝部が設けられている、請求項１記載の吸収性物品。
【発明の詳細な説明】
【技術分野】
【０００１】
本発明は、パッドタイプ、テープタイプ、パンツタイプ等の吸収性物品に関するものである。
【背景技術】
【０００２】
成人向けの排泄物吸収性物品（おむつ）としては、パッドタイプ、テープタイプ、パンツタイプ等の基本吸収性物品（アウターとも呼ばれる）の他に、これらと併用することを想定した、より小型のフラットタイプと呼ばれる補助吸収性物品（インナーとも呼ばれる）が提供されており、これらの組み合わせは特にケア施設等の介護現場において汎用されている。
特に装着者が男性の場合、排尿位置が陰茎の位置により変化するため、脚周りからの漏れが発生し易いという問題があり、介護現場ではこの問題を解決するために、フラットタイプの補助吸収性物品を用い、その幅方向両側部を蛇腹状にして、蛇腹状部分間に陰茎を配置することにより、鼠径部から股間までの両脚の付根の溝に発生する隙間を埋めるようにしたり、特に装着者が男性のときには円錐状に丸めて陰茎に巻き付けたりする（以下、男性巻きともいう）、といった対応が取られている（例えば、特許文献１，２参照）。
また、男性巻きの装着作業の簡素化及び漏れの低減を図るために、陰茎挿入口を有する袋状吸収性物品も提案されている（例えば、特許文献３，４参照）。
【先行技術文献】
【特許文献】
【０００３】
【特許文献１】特開２００６−２１２４５２号公報
【特許文献２】特開２００１−１２９０１２号公報
【特許文献３】特開２００１−２０４７５５号公報
【特許文献４】特許第４３８８２１３号公報
【発明の概要】
【発明が解決しようとする課題】
【０００４】
しかし、上述の男性巻きや袋状吸収性物品では、装着状態において陰茎が吸収性物品により拘束されるため違和感が強く、また陰茎が動いて物品外に抜け出ると意味をなさないという問題点がある。
また、上述の蛇腹状装着形態は、男性巻きや袋状吸収性物品と比べて装着時の違和感は少ないものの、鼠径部から股間までの両脚の付根の溝に発生する隙間を完全に埋めることが困難であり、隙間が残り易いだけでなく、脚の動きに追従できずにじゃばらが崩れ易いため、脚周りの漏れ防止という観点からは改善の余地がある。
そこで、本発明の主たる課題は、男性が使用する際、装着時の違和感が少ないものでありながら、脚周りの漏れ防止性に優れる吸収性物品を提供することにある。
【課題を解決するための手段】
【０００５】
上記課題を解決した本発明は次記のとおりである。
＜請求項１記載の発明＞
透液性トップシートと、不透液性シートと、これらの間に介在された主吸収体と、前記透液性トップシート上に設けられた補助吸収部とを備え、
前記補助吸収部は、前記透液性トップシート上の幅方向中央部に固定された基部と、基部の両側縁からそれぞれ延出するウイング部とを備え、
使用に際して、前記補助吸収部のウイング部を、それぞれ側端部を巻き始めとして表面が内側となるように巻くことにより、基部よりも厚いロール状部分が前記透液性トップシート上に形成可能とされ、かつ少なくとも前記ロール状部分がその外部露出面から尿を吸収可能なように構成されている、
ことを特徴とする吸収性物品。
【０００６】
（作用効果）
本発明の吸収性物品は、鼠径部から股間までの両脚の付根の溝に、ウイング部を巻いて形成したロール状部分を入り込ませるとともに、それらロール状部分の間に男性器を配置して男性器を基部で覆うようにして装着することができる。したがって、鼠径部から股間までの両脚の付根の溝に発生する隙間を、尿吸収可能なロール状部分により埋めることができ、脚周りに向かう尿をロール状部分により効果的に吸収することができる。しかも、ロール状部分は、蛇腹状のものとは異なり、弾力性及び形状維持性（形状の崩れにくさ）に富むとともに、基部が固定されているため、脚の付根の溝にしっかりとフィットし、脚等の体動に追従して変形・復元することができるとともに、変形による崩れやズレも発生し難い。よって、脚周りからの漏れは発生し難くなる。さらに、本発明の吸収性物品では、男性巻きや袋状吸収性物品のように男性器が強く拘束されず、違和感も生じ難い。
また、本発明の吸収性物品では、必要時にはウイング部をトップシートから分離してロール状にできる他、ウイング部をロール状にせずに、単なる吸収量増加のために使用することも可能となる。
なお、ロール状部分は、側部が少なくとも１周は巻かれている（つまり筒状になっている）部分を意味する。
【０００７】
＜請求項２記載の発明＞
各前記ウイング部は、幅方向に折り畳まれている、請求項１記載の吸収性物品。
【０００８】
（作用効果）
ウイング部の幅が短いと大きなロール状部分を形成するのが困難となり、また、単にウイング部の幅を拡大するだけでは製造過程におけるウイング部の取り扱いが困難となる。よって、上述のように、ウイング部を予め折り畳んでおき、使用時に開いてロール状にするのが好ましい。
【０００９】
＜請求項３記載の発明＞
各前記ウイング部は、前記折り畳まれて対向する部分同士が分離可能に連結されている、請求項２記載の吸収性物品。
【００１０】
（作用効果）
このような構造とすることにより、製造過程などで、ウイング部が移動して製品不良となる事態や、ウイング部をロール状にしない場合にウイング部が展開する事態を防止できる。
【００１１】
＜請求項４記載の発明＞
各前記ウイング部における前後少なくとも一方の縁部において、前記折り畳まれて対向する部分同士が幅方向に沿う横ミシン目を介して分離可能に連結されている、請求項３記載の吸収性物品。
【００１２】
（作用効果）
前述したウイング部の分離可能な連結のための手段としては、粘着剤を用いることも考えられるが、粘着剤が肌に付着するおそれがあるため、上述のようにミシン目を利用するのが望ましい。
【００１３】
＜請求項５記載の発明＞
各前記ウイング部は、幅方向に折り畳まれて、先端部が幅方向中央側に向いており、
一方の前記ウイング部の先端部と、他方の前記ウイング部の先端部とは、前後方向に沿う縦ミシン目を介して連続している、請求項１〜４のいずれか１項に記載の吸収性物品。
【００１４】
（作用効果）
このような構造とすることにより、幅方向中間部にウイング部の素材の縁が形成されないため、素材の縁が肌に当たることによる肌触りの悪化を防止することができ、また縦ミシン目を切り離すことにより両ウイング部を分離することができる。
【００１５】
＜請求項６記載の発明＞
一方の前記ウイング部は一体的な層が幅方向に折り返されて形成されており、他方の前記ウイング部は複数の層が積層されるとともに隣接層が折り部位で連結されて形成されている、請求項５記載の吸収性物品。
【００１６】
（作用効果）
このような構造とすると、補助吸収部を製造する際、前後方向に沿う縦ミシン目を形成した後に二つ折りにして端部同士を連結するといった簡素な手法を採用することができる。
【００１７】
＜請求項７記載の発明＞
前記基部と前記ウイング部との各境界部分に、表側から裏側に窪む溝部が設けられている、請求項１記載の吸収性物品。
【００１８】
（作用効果）
このような溝部を設けることにより、形成したロール状部分が溝部に落ち込み、位置及び形状が安定するようになる。
【発明の効果】
【００１９】
以上のとおり、本発明によれば、男性が使用する際、装着時の違和感が少ないものでありながら、脚周りの漏れ防止性に優れる等の利点がもたらされる。
【図面の簡単な説明】
【００２０】
【図１】展開状態のパッドタイプ使い捨ておむつの表面側を示す平面図である。
【図２】立体ギャザーを取り外し、展開した状態のパッドタイプ使い捨ておむつの表面側を示す平面図である。
【図３】図１のＹ−Ｙ断面図である。
【図４】図１のＺ−Ｚ断面図である。
【図５】図１のＸ−Ｘ断面における補助吸収部のみを示す図である。
【図６】補助吸収部の（ａ）半製品状態、（ｂ）完成状態、及び（ｃ）展開状態を示す平面図である。
【図７】補助吸収部を展開する前の吸収性物品を概略的に示す斜視図である。
【図８】補助吸収部を展開してロール状部分を形成した状態の吸収性物品を概略的に示す斜視図である。
【図９】パッドタイプ使い捨ておむつの装着状態を概略的に示す正面図である。
【図１０】パッドタイプ使い捨ておむつの装着状態を概略的に示す横断面図である。
【図１１】補助吸収部の各種形態を示す断面図である。
【図１２】他の形態のパッドタイプ使い捨ておむつの断面図である。
【図１３】他の形態のパッドタイプ使い捨ておむつの断面図である。
【図１４】他の補助吸収部の（ａ）半製品状態、（ｂ）完成状態、及び（ｃ）展開状態を示す平面図である。
【図１５】展開状態の、他のパッドタイプ使い捨ておむつの表面側を示す平面図である。
【発明を実施するための形態】
【００２１】
以下、本発明の一実施形態について、添付図面に示されるパッドタイプ使い捨ておむつの例を参照しながら詳説する。
図１〜図８は、パッドタイプ使い捨ておむつ２００を示している。このパッドタイプ使い捨ておむつ２００は、股間部Ｃ２と、その前後両側に延在する前側部分Ｆ２及び後側部分Ｂ２とを有するものである。各部の寸法は適宜定めることができ、例えば、おむつ全長Ｌ（前後方向長さ）は３５０〜７００ｍｍ程度、おむつ全幅Ｗ１は１３０〜４００ｍｍ程度（ただし、おむつの吸収面の幅より広い）とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。なお、「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。図示形態のように、物品の前後方向中間あるいは吸収体の前後方向中間に幅の狭い括れ部分を有する場合は、「股間部」は括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。
パッドタイプ使い捨ておむつ２００は、不透液性シート２１の内面と、透液性トップシート２２との間に、主吸収体２３が介在された基本構造を有している。なお、断面図における点模様部分は各構成部材を接合する接合部分を示しており、ホットメルト接着剤などのベタ、ビード、カーテン、サミットまたはスパイラル塗布などにより形成されるものである。
【００２２】
（主吸収体）
主吸収体２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。主吸収体２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。高吸収性ポリマー粒子を混合する場合等、必要に応じて、主吸収体２３はクレープ紙等の包装シート（図示せず）により包むことができる。また、主吸収体２３の形状は、相対的に前側の部分が後側の部分よりも幅広な帯状、あるいは長方形状、台形状等、適宜の形状とすることができる。
主吸収体２３は、股間部Ｃ２を含む前後方向中間の所定部分が幅の狭い括れ部分２３ｎとして形成されている。この括れ部分２３ｎの最小幅Ｗ３は、括れ部分２３ｎの前後に位置する非括れ部分の幅（主吸収体２３の全幅）Ｗ２の５０〜６５％程度であるのが好ましい。また、おむつ前端を０％としおむつ後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｗ３となる部位（最小幅部位）は２５〜３０％の範囲に位置しているのが好ましい。
【００２３】
（不透液性シート）
主吸収体２３の裏側には、不透液性シート２１が主吸収体２３の周縁より若干食み出すように設けられている。不透液性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
また、不透液性シート２１の外面は、不織布からなる外装シート（図示略）により被覆することができ、この場合、不透液性シート２１の幅を主吸収体２３の幅と同程度とすることができる。外装シートとしては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２４】
（透液性トップシート）
主吸収体２３の表側は、透液性トップシート２２により覆われている。図示形態ではトップシート２２の側縁から主吸収体２３が一部食み出しているが、主吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
トップシート２２と主吸収体２３との間には、中間シート２５を介在させるのが望ましい。この中間シート２５は、主吸収体２３により吸収した尿の逆戻りを防止するために設けられるものであり、保水性が低く、且つ透液性の高い素材、例えばメッシュフィルム等を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅２５ｗは主吸収体２３の幅Ｗ２の５０〜９０％程度であるのが好ましい。
【００２５】
（エンドフラップ部・サイドフラップ部）
パッドタイプ使い捨ておむつ２００の前後方向両端部では、外装シート２６および透液性トップシート２２が主吸収体２３の前後端よりも前後両側にそれぞれ延在されて貼り合わされ、主吸収体２３の存在しないエンドフラップ部ＥＦが形成されている。パッドタイプ使い捨ておむつ２００の両側部では、外装シート２６が主吸収体２３の側縁よりも外側にそれぞれ延在され、この延在部からトップシート２２の側部までの部分の内面には側部立体ギャザーシート３１の幅方向外側の部分３４が前後方向全体にわたり貼り付けられ、主吸収体２３の存在しないサイドフラップ部ＳＦを構成している。これら貼り合わせ部分は、図１では斜線模様で示されており、ホットメルト接着剤、ヒートシール、超音波シールにより形成できる。外装シート２６を設けない場合、外装シート２６に代えて不透液性シート２１をサイドフラップ部ＳＦまで延在させ、サイドフラップ部ＳＦの外面側を形成することができる。
【００２６】
（側部立体ギャザー）
表面における両側部には、前後方向に延在する側部立体ギャザー３０がそれぞれ設けられている。側部立体ギャザー３０は上述の側部立体ギャザーシート３１により形成されている。側部立体ギャザーシート３１の幅方向中央側の部分３２はトップシート２２上にまで延在しており、その幅方向中央側の端部には、側部立体ギャザー弾性部材３３が前後方向に沿って伸張状態でホットメルト接着剤等により固定されている。
側部立体ギャザーシート３１の素材としては、プラスチックシートやメルトブローン不織布を使用することもできるが、肌への感触性の点で、不織布にシリコンなどにより撥水処理をしたものが好適に使用される。この側部立体ギャザー弾性部材３３としては、糸状、紐状、帯状等の細長状に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
また、両側部立体ギャザーシート３１は、幅方向外側の部分３４が前後方向全体にわたりおむつ内面（図示形態ではトップシート２２表面および外装シート２６内面）に貼り合わされて固定部分３４とされるとともに、幅方向中央側の部分３２がこの固定部分から突出する突出部分３２とされている。そして、この突出部分３２のうち、前後方向の両端部では倒伏状態でおむつ表面（図示形態ではトップシート２２表面）に貼り合わされて非起立部３５とされ、かつこれら非起立部３５間の部分はおむつ表面（図示形態ではトップシート２２表面）に固定されていない起立部３６とされている。この起立部３６は、側部立体ギャザー弾性部材３３の収縮力が作用することにより、図４に二点差線で示されるように、おむつ表面（図示形態ではトップシート２２表面）から起立して鼠径部等に接触する部分であり、その起立基端３７は側部立体ギャザーシート３１における固定部分３４と突出部分３２との境に位置する。
【００２７】
（補助吸収部）
特徴的には、トップシート２上に補助吸収部１０が設けられており、この補助吸収部１０は、トップシート２上の幅方向中央部にホットメルト接着剤１０ｂ等により固定された基部１１と、基部１１の両側縁からそれぞれ延出するウイング部１２とを備えており、使用に際して、補助吸収部１０のウイング部１２を、それぞれ側端部を巻き始めとして表面が内側となるように巻くことにより、図８〜図１０に示すように、基部１１よりも厚いロール状部分１３が形成され、少なくともロール状部分１３がその外部露出面から尿を吸収可能なように構成されている。
【００２８】
この補助吸収部１０は、少なくともロール状部分１３がその外部露出面から尿を吸収可能なように構成されている限り、内部構造は特に限定されず、形状維持性に優れるものであれば吸収性素材単独で構成することもできるが、図４〜図６に示すように、基部１１及びウイング部１２に設けられた吸収体３と、吸収体３の表裏いずれか一方の面を被覆する透液性第一シート１と、吸収体３の裏面を被覆する透液性第二シート２とを備えた構造が簡素であり好ましい。この場合、図４に示すように、基部１１の表面は第一シート１により形成され、主にこの第一シート１を介して吸収体３への吸収がなされるのに対して、ロール状部分１３では外部露出面が第二シート２により形成され、主に第二シート２を介して吸収体３への吸収がなされる。なお、図中の点模様部分はホットメルト接着剤による接着部を示している。
【００２９】
第一シート１及び第二シート２としては、有孔または無孔の不織布や有孔プラスチックシートなどが用いられる。不織布を用いる場合、その繊維は特に限定されず、ポリエチレンまたはポリプロピレン等のオレフィン系、ポリエステル系、アミド系等の合成繊維の他、レーヨンやキュプラ等の再生繊維、綿等の天然繊維を用いることができ、また製法も特に限定されず、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。第一シート１及び第二シート２に多数の透孔を形成したプラスチックシートを用いると、尿などが速やかに吸収されるようになり、ドライタッチ性に優れたものとなる。ただし、図示例と異なり、基部１１の裏側にのみ公知の不透液性シートを配置したり、ロール状部分１３の外部露出面の一部のみ透液性としたりすることも可能である。
【００３０】
第一シート１及び第二シート２は、図示例では吸収体３の周囲からはみ出した部分を接合しているため吸収体３を有しないフラップ部１２Ｆが形成されているが、いずれか一方のシートを吸収体３の周縁部を巻き込むように延在させることで周囲の一部又は全部にフラップ部１２Ｆを有しない構造とすることもできる。
【００３１】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。吸収体３は、形状及びポリマー保持等のため、必要に応じてクレープ紙等の、液透過性及び液保持性を有する包装シート（図示略）によって包装することができる。吸収体３の形状は、図示形態のように長方形状とする他、適宜の形状とすることができる。吸収体３における繊維目付け及び吸収性ポリマーの目付けは適宜定めることができるが、繊維目付けは２５０〜５００ｇ／ｍ2程度とするのが好ましく、また吸収性ポリマーの目付けは５０〜２５０ｇ／ｍ2程度とするのが好ましい。
【００３２】
吸収体３は、図４及び図１１（ａ）に示すように、折り返し位置やミシン目位置等の適宜の境界で複数に分割したり、図１１（ｂ）に示すように、基部１１及びウイング部１２の全体にわたり一体的に形成したり、図１３に示すように少なくとも基部１１内については省略したりする等、適宜の変更が可能である。
【００３３】
補助吸収部１０は、図１５に示すようにフラットタイプの吸収性物品と同様の簡素な構造のものを折り畳まずに設けるだけでも良いが、ウイング部１２の幅が短いと大きなロール状部分１３を形成するのが困難となり、また、単にウイング部１２の幅を拡大するだけでは製造過程におけるウイング部１２の取り扱いが困難となるおそれがある。よって、図４に示すように、ウイング部１２を予め幅方向に折り畳んでおき、使用時に開いてロール状にする構造が好ましい。この場合におけるウイング部１２の折数は適宜定めることができ、図示例の二つ折りのような偶数折りとすると、各ウイング部１２の先端部が幅方向中央側に向くようになり、奇数折りにすると各ウイング部１２の先端部が幅方向中央側に向くようになる。
【００３４】
特に図示形態のように偶数折り（二つ折り、四つ折り等）とすると、各ウイング部１２は、幅方向に折り返されて、先端部が幅方向中央側に向くことになるが、その場合、幅方向中間部にウイング部１２の素材の縁が露出し、素材の縁が肌に当たることにより肌触りが悪化するおそれがある。そこで、図示形態のように、一方のウイング部１２の先端部と、他方のウイング部１２の先端部とを、前後方向に沿う縦ミシン目１４を介して連続させるのは一つの好ましいこれにより、ウイング部１２の素材の縁が肌に当たることによる肌触りの悪化を防止することができ、また縦ミシン目１４を切り離すことにより両ウイング部１２を分離することができる。
【００３５】
もちろん、ウイング部１２の折数に関わらず、図１１（ｂ）及び（ｃ）に示すように、ウイング部１２の先端部同士を連結せずに離間させる、又は図示しないが突き合わせる若しくは重ねることも可能である。
【００３６】
また、ウイング部１２を折り畳む形態では、製造過程などで、ウイング部１２が変形して製品不良となる事態や、ウイング部１２をロール状にしない場合にウイング部１２が展開する事態が発生するおそれがあるため、各ウイング部１２は、折り畳まれて対向する部分同士が分離可能に連結されていると好ましい。この連結手段は特に限定されるものではないが、粘着剤を用いると粘着剤が肌に付着するおそれがある。よって、図示形態のように、各ウイング部１２における前後少なくとも一方の縁部において、折り畳まれて対向する部分同士を幅方向に沿う横ミシン目１５を介して分離可能に連結するのが好ましい。具体的に図示形態では、各ウイング部１２の前後のフラップ部１２Ｆにおいて折り畳みにより対向する縁部同士をホットメルト接着剤１２ｂにより連結するとともに、この連結部位よりも吸収体３側に幅方向に沿って横ミシン目１５を形成しており、図６（ｂ）の状態からこの横ミシン目１５を切り離す（図示形態では前述の縦ミシン目１４を有しているため縦ミシン目１４も切り離す）ことにより、図６（ｃ）に示すように折り畳まれたウイング部１２を展開することができる。
【００３７】
ウイング部１２の折り畳み構造は特に限定されず、例えば図１１（ｂ）に示すように、一対の透液性シート１，２間に吸収体３を挟んだだけの簡素な構造のものを、両側部を幅方向中間部上に折り返し、非折り返し部分の幅方向中間部を基部１１とするだけでも良いが、この場合、両側部の折り返しが必要となるだけでなく、前述の縦ミシン目１４を形成するには、予めミシン目を形成したシートを両ウイング部１２間に跨るように貼り付ける等の工夫が必要となる。
【００３８】
これに対して、図４及び図１１（ａ）に示すように、一方のウイング部１２は一体的な層が幅方向に折り返されて形成されており、他方のウイング部１２は複数の層が積層されるとともに隣接層が折り部位でホットメルト接着剤１２ｃ等により連結されて形成された構造であると、補助吸収部１０を製造する際、図６（ａ）に示すように縦ミシン目１４等を形成した後に、図６（ｂ）に示すように、二つ折りにして端部同士を連結するといった簡素な手法を採用することができる。なお、図示形態では、ウイング部１２が二つ折りであるため、一方のウイング部１２は、幅方向外側に延在した後に幅方向中央側に折り返されてなり、他方のウイング部１２は、基部１１の側縁から幅方向外側に延在する下側部分と、この下側部分の側部に対する連結部から幅方向中央側に延在する上側部分とからなっている。
【００３９】
また、図１１（ｃ）に示すように、基部１１の中央に関して一方側の部分１６と他方側の部分１７とを別々に形成し、並設することもできる。
【００４０】
補助吸収部１０の寸法・形状は適宜定めることができるが、通常の場合、展開状態における幅Ｗは３５０〜４５０ｍｍ程度とするのが好ましく、展開状態における前後方向長さＬは１４０〜２１０ｍｍ程度とするのが好ましく、前後方向長さＬよりも幅Ｗの長い横長形状とするのが好ましい。基部１１の幅（展開状態）は、装着者の股間幅より狭く、６０〜９０ｍｍ程度とすることができる。ウイング部１２の幅（展開状態）は、ロール状部分１３の巻き長さ（巻かれている部分の幅方向長さ）に応じて決まるものであり、巻き数は１．５巻き程度（図１０の状態）は確保するのが好ましいため、通常の場合、１４５〜１８０ｍｍ程度とするのが好ましい。
【００４１】
以上のように構成された補助吸収部１０は、図６〜図８に示すように、パッドタイプ使い捨ておむつ２００の内面と男性器Ｐとの間に配置し、装着者の鼠径部から股間までの両脚Ｔの付根の溝に、ウイング部１２のロール状部分１３を入り込ませるとともに、それらロール状部分１３の間に男性器Ｐを配置して男性器Ｐを基部１１で覆うようにして装着することができる。そしてこの装着状態では、鼠径部から股間までの両脚Ｔの付根の溝に発生する隙間を、尿吸収可能なロール状部分１３により埋めることができ、脚Ｔ周りに向かう尿をロール状部分１３により効果的に吸収することができる。しかも、ロール状部分１３は、弾力性及び形状維持性（形状の崩れにくさ）に富むとともに、基部１１が固定されているため、脚Ｔの付根の溝にしっかりとフィットし、脚Ｔ等の体動に追従して変形・復元することができるとともに、変形による崩れやズレも発生し難い。よって、脚Ｔ周りからの漏れは発生し難くなる。また、男性器Ｐが強く拘束されず、違和感も生じ難い。なお、図８中の符号Ｄは装着者の下腹部Ｄを示している。
【００４２】
特に、図示形態のように、ロール状部分１３の巻きが非固定とされていると、使用者が必要に応じて、ロール状部分１３の巻きを戻す又は進めることによりロール状部分１３の位置や直径を調節したり、巻きを緩める又は締めることによりロール状部分１３の直径、弾力性、変形容易性を調節したりすることが可能となり、多少の個人差があっても適切な装着状態を得ることができる。また、ロール状部分１３の巻きが非固定となっていると、巻きが緩む作用により、脚Ｔの付根の溝に発生する隙間を埋めるようにロール状部分１３が膨らんでフィットするようになるとともに、脚Ｔ等の体動に追従して変形・復元する性質も極めて高くなる。特に、パッドタイプ使い捨ておむつ２００が立体ギャザー３０を備えている場合には、立体ギャザー３０の間に補助吸収部１０が配置されるため、ロール状部分１３の巻きが緩んでも立体ギャザー３０により抑えられるため、ロール状部分１３の巻きが崩れにくくなる。もちろん、ロール状部分の巻きを固定するための手段、例えば粘着剤や粘着テープ等を別途設けることもできる。
【００４３】
また、図示形態のように、基部１１及びウイング部１２にわたる一体的な吸収体３と、この吸収体３の表裏両面を被覆する液透過性シートとを備えた構造であると、基部１１及びウイング部１２の全体において表裏両面からの尿吸収が可能となり、また吸収した尿は吸収体３全体に拡散可能となる。さらに、吸収体３の剛性により、装着状態では、ロール状部分１３が両脚Ｔの付根の溝に向かって付勢された状態となるため、脚Ｔの動きに追従してロール状部分１３が基部１１との境界を軸に揺動することができ、動的なフィット性に優れるとともに、男性器Ｐへの側方からの圧迫も少ないものとなる。
【００４４】
＜その他＞
（ａ）図４等に示すように、補助吸収部１０における基部１１とウイング部１２との各境界部分に、表側から裏側に窪む溝部を設けると、ウイング部１２を巻いて形成したロール状部分１３が溝部に落ち込み、位置及び形状が安定するようになるため好ましい。このような溝部は、図示例のように吸収体３に所定幅のスリット３ｓを形成することにより設けることができる他、透液性シート１，２とともに又は吸収体３のみにエンボス加工等による凹部を形成したり、吸収体３を圧縮せずに局所的に薄肉にしたりすることによっても設けることができる。
（ｂ）縦ミシン目１４の切り離しの際、縦ミシン目１４の両側を摘み易くするために、図６等に示すように、縦ミシン目１４の中間近傍には吸収体３を設けない（例えば図示形態のように吸収体３に凹み部を設け、吸収体間隔３Ｄを前後両側よりも大きくする等）ことが望ましい。
（ｃ）図１４に示すように、吸収体３を中央部に設けられるものとそれ以外のものとに分割する場合には、中央部に設けられる吸収体３の平面形状を前後方向中間部が括れた形状とすると、股間部Ｃ２における脚周りに対するフィット性が向上するため好ましい。
【００４５】
（ｄ）図１２に示すように、補助吸収部１０を設ける部分については、主吸収体２３を設けなくても良い。
（ｅ）図１３に示すように、補助吸収部１０における基部１１には吸収体３を内蔵させなくても良い。この場合には、主吸収体２３を設ける方が望ましい。
【産業上の利用可能性】
【００４６】
本発明は、パッドタイプ、パンツタイプ若しくはテープタイプ等、使い捨ておむつ全般に利用できるものである。
【符号の説明】
【００４７】
１…第一シート、２…第二シート、３…吸収体、３ｓ…スリット、５…ズレ止め部、６…剥離シート、１０…補助吸収部、１１…基部、１２…ウイング部、１３…ロール状部分、１３Ｄ…間隔、２００…パッドタイプ使い捨ておむつ、Ｄ…下腹部、Ｐ…男性器、Ｔ…脚、１４…縦ミシン目、１５…横ミシン目、２１…不透液性シート、２２…トップシート、２３…主吸収体、２３ｎ…括れ部分、２５…中間シート、２６…外装シート、３０…側部立体ギャザー、３１…側部立体ギャザーシート、３３…側部立体ギャザー弾性部材。
【図１】
0005791494.tif 000002
【図２】
0005791494.tif 000003
【図３】
0005791494.tif 000004
【図４】
0005791494.tif 000005
【図５】
0005791494.tif 000006
【図６】
0005791494.tif 000007
【図７】
0005791494.tif 000008
【図８】
0005791494.tif 000009
【図９】
0005791494.tif 000010
【図１０】
0005791494.tif 000011
【図１１】
0005791494.tif 000012
【図１２】
0005791494.tif 000013
【図１３】
0005791494.tif 000014
【図１４】
0005791494.tif 000015
【図１５】
0005791494.tif 000016